(57)【要約】【課題】  線量を容易に制御でき、かつ、人体においてある程度、広い範囲にわたって放射線を当てることが可能な放射性成形体、下着、放射性成形体の製造方法を提供すること。【解決手段】  放射性成形体１Ａは、ラジウムなどを含む放射性鉱物の粉体をゴムあるいは樹脂のマトリックス中に分散させた後、シート状に成形してなるものであり、ガンマ線の線量が０．０４５μＳＶ／ｈ〜０．１１６μＳＶ／ｈに設定されている。従って、放射性成形体１Ａを直接あるいは間接的に人体の所定箇所に当てると、放射線障害を起こさない程度の微弱なガンマ線が人体に照射されるので、天然ラジウム温泉を利用したのと同様、健康保全の効果が得られる。【選択図】  図１
2005287956.tif 000002
【特許請求の範囲】
【請求項１】
少なくとも放射性鉱物の粉体をゴムあるいは樹脂のマトリックス中に分散させて成形してなることを特徴とする放射性成形体。
【請求項２】
請求項１において、前記放射性鉱物の粉体を前記マトリックス中に分散させたシートを不織布と貼り合せてなることを特徴とする放射性成形体。
【請求項３】
請求項２において、前記不織布には通気穴が形成されていることを特徴とする放射性成形体。
【請求項４】
請求項１ないし３のいずれかにおいて、前記放射性鉱石の粉体を前記ゴムとしての液状シリコーンゴム中に分散させて、前記放射性鉱物の粉体を前記マトリックス中に分散させてなることを特徴とする放射性成形体。
【請求項５】
請求項１ないし４のいずれかおいて、前記放射性鉱物として、ラジウムを含む鉱物を用いたことを特徴とする放射性成形体。
【請求項６】
請求項１ないし４のいずれかにおいて、前記放射性鉱物として、ラジウムを含む湯の花を用いたことを特徴とする放射性成形体。
【請求項７】
請求項１ないし６のいずれかに規定する放射性成形体を保持させたことを特徴とする下着。
【請求項８】
少なくとも放射性鉱物の粉体をゴム原料中あるいは樹脂原料中に分散させた後、固化、成形することを特徴とする放射性成形体の製造方法。
【発明の詳細な説明】
【技術分野】
【０００１】
本発明は、健康保全などに用いられる放射性成形体、下着、および放射性成形体の製造方法に関するものである。
【背景技術】
【０００２】
ガンマ線のもつ極超短波長は物質透過性が高いことから、人体の深部にまで届く。従って、放射線障害を起こさない程度の微弱なガンマ線を人体に照射すると、天然ラジウム温泉で実証されているように健康保全に効果的である。それ故、放射性鉱物の塊を人体に当てれば、天然ラジウム温泉で得られるような健康保全の効果的を気軽に得られることになる。
【発明の開示】
【発明が解決しようとする課題】
【０００３】
しかしながら、放射性鉱物の塊をそのまま人体に当てる方法では、放射線の線量を制御することが難しいという問題点がある。また、塊のままでは人体の極一部にしかガンマ線を当てることができないので、健康保全効果は十分といえない。
【０００４】
以上の問題点に鑑みて、本発明の課題は、線量を容易に制御でき、かつ、人体においてある程度、広い範囲にわたって放射線を当てることが可能な放射性成形体、下着、および放射性成形体の製造方法を提供することにある。
【課題を解決するための手段】
【０００５】
上記課題を解決するために、本発明に係る放射性成形体は、少なくとも放射性鉱物の粉体をゴムあるいは樹脂のマトリックス中に分散させて成形してなることを特徴とする。
【０００６】
本発明に係る放射性成形体の製造方法では、少なくとも放射性鉱物の粉体をゴム原料中あるいは樹脂原料中に分散させた後、固化、成形することを特徴とする。
【０００７】
本発明に係る放射性成形体では、放射性鉱物をゴム中あるいは樹脂中に分散させてあるため、放射性鉱物をそのまま用いる場合と比較して、放射性鉱物の添加量を制御するだけでガンマ線の線量を確実に制御できるという利点がある。また、放射性鉱物をゴム中あるいは樹脂中に分散させてあるため、線量分布が均一な放射線を人体の広い領域に当てることができるので、健康保全の効果が大きい。
【０００８】
本発明において、前記放射性鉱物の粉体を前記マトリックス中に分散させたシートを不織布と貼り合せてなる構成であってもよい。この場合、前記不織布には通気穴が形成されていることが好ましい。
【０００９】
本発明において、前記放射性鉱石の粉体を前記ゴムとしての液状シリコーンゴム中に分散させて、前記放射性鉱物の粉体を前記マトリックス中に分散させてなることが好ましい。
【００１０】
本発明において、前記放射性鉱物としては、例えば、ラジウムを含む鉱物を用いることができる。本発明において、前記放射性鉱物として、少なくとも、ラジウムを含む湯の花を用いてもよい。
【００１１】
本発明に係る放射性成形体は、そのまま使用してもよいが、下着に保持させれば、所望の部位に長時間にわたって放射線を照射できるので、便利である。
【発明の効果】
【００１２】
本発明に係る放射性成形体では、放射性鉱物をゴム中あるいは樹脂中に分散させてあるため、放射性鉱物の添加量によって線量を確実に制御できる。また、放射性鉱物をゴム中あるいは樹脂中に分散させてあるため、線量分布が均一な放射線を人体の広い領域に当てることができるので、健康保全の効果が大きい。
【発明を実施するための最良の形態】
【００１３】
以下、本発明の実施の形態を説明する。
【００１４】
（実施の形態１）
図１は、本発明の実施の形態１に係る放射性成形体の説明図である。
【００１５】
図１に示す放射性成形体１Ａは、ラジウムなどを含む放射性鉱物の粉体をゴムあるいは樹脂のマトリックス中に分散させた後、シート状に成形してなるものである。かかる放射性成形体１Ａを製造するにあたっては、恵那石、苗木石、ラジウム鉱沙などと称せられる放射性鉱物、あるいはラジウムを含む湯の花などの放射性鉱物を所定の粒径にまで粉砕した後、シリコーンゴム、ＥＰＤＭ、ブチルゴム、フッ素ゴム、天然ゴムなどのゴム原料中、あるいは弾性を備えた樹脂原料中に分散させた後、シート状に固化、成形して、放射性成形体１Ａを製造する。また、大判のシート状に形成した後、所定サイズに切断して、放射性成形体１Ａを製造してもよい。
【００１６】
本形態の放射性成形体１Ａでは、恵那石などのラジウムなどを含む放射性鉱物の粉体の他に、ジルコニアなどの粉体などもゴムあるいは樹脂のマトリックス中に添加してあり、例えば、以下に示す配合比
液状シリコーンゴム  １００ｇ
主材：信越化学工業（株）製    商品名  ＫＥ９５１Ｕ  １００部
硬化剤：信越化学工業（株）製  商品名  Ｃ−８            ２部
恵那石などの放射性鉱物の粉体  １０重量部〜２０重量部
ジルコニアの粉体  １０重量部〜２０重量部
で製造したものある。ここで、ジルコニアも微量のガンマ線を放出する放射性鉱物である。
【００１７】
使用するゴムに関しては、本形態では、人体に当てた際の感触、成形性、粉体の分散性などの観点から、液状シリコーンゴムに放射性鉱石の粉体を分散させ、硬化、成形させてある。
【００１８】
また、本形態において、放射性鉱物の粉体の添加量は、放射性成形体から放出されるガンマ線の線量が例えば０．０４５μＳＶ／ｈ〜０．１１６μＳＶ／ｈになるように設定してある。ここでいう線量は、本形態の放射性鉱物からの線量から自然計測の値（約０．０４μＳＶ／ｈ）を差し引いた値である。
【００１９】
このように構成した放射性成形体１Ａは、直接あるいは間接的に人体の所定箇所に当てて使用する。例えば、人体に直接貼る方法の他、下着類に保持させて使用する。その結果、放射性成形体１Ａからは、放射線障害を起こさない程度の微弱なガンマ線が人体に長期間にわたって照射される。それ故、天然ラジウム温泉を利用したのと同様、利用者の健康保全という効果が得られる。
【００２０】
また、放射性成形体１Ａでは、放射性鉱物がゴム中あるいは樹脂中に分散させてあるため、放射性鉱物をそのまま用いる場合と比較して、放射性鉱物の添加量を制御するだけで線量を確実に制御できる。しかも、本形態の放射性成形体１Ａでは、放射性鉱物がゴム中あるいは樹脂中に分散させてあるため、線量分布が均一な放射線を人体の広い領域に当てることができるので、健康保全の効果が大きい。
【００２１】
（実施の形態２）
図２は、本発明の実施の形態２に係る放射性成形体の説明図である。図２に示す本形態の放射性成形体１Ｂは、実施の形態１と同様、放射性鉱物を所定の粒径にまで粉砕した後、液状シリコーンゴム（マトリックス）に放射性鉱石の粉体を分散させ、リング状に成形したものである。本形態の放射性成形体１Ｂにおいても、放射性鉱物の粉体の添加量は、放射性成形体から放出されるガンマ線の線量が例えば０．０４５μＳＶ／ｈ〜０．１１６μＳＶ／ｈになるように設定されている。
【００２２】
このように構成した放射性成形体１Ｂは、リング状に成形されているので、腕などに装着しておくと、放射線障害を起こさない程度の微弱なガンマ線が人体に照射される。それ故、天然ラジウム温泉を利用したのと同様、健康保全の効果が得られる。また、本形態の放射性成形体１Ｂでは、放射性鉱物がゴム中あるいは樹脂中に分散させてあるため、放射性鉱物をそのまま用いる場合と比較して、放射性鉱物の添加量を制御するだけで線量を確実に制御できる。また、本形態の放射性成形体１Ｂでは、放射性鉱物がゴム中あるいは樹脂中に分散させてあるため、線量分布が均一な放射線を人体の広い領域に当てることができるので、健康保全の効果が大きい。
【００２３】
（実施の形態３）
図３は、本発明の実施の形態３に係る放射性成形体の説明図である。図３に示す本形態の放射性成形体１Ｂは、実施の形態１と同様、シート状に成形されているが、両端のスリット１１を利用して、バンド２が連結されている。従って、実施の形態２と同様、腕などに装着して使用することができる。
【００２４】
（実施の形態４）
図４は、本発明の実施の形態４に係る放射性成形体の説明図であり、シートを一部切り欠いて示してある。図４に示す本形態の放射性成形体１Ｃは、実施の形態１と同様、放射性鉱物を所定の粒径にまで粉砕した後、液状シリコーンゴムなどに放射性鉱石の粉体を分散させてシート１５に成形したものを不織布１６と貼り合せたものである。ここで、不織布１６には多数の通気穴１７が形成されている。
【００２５】
このように構成した放射性成形体１Ｃにおいても、放射性鉱物の粉体の添加量は、放射性成形体から放出されるガンマ線の線量が例えば０．０４５μＳＶ／ｈ〜０．１１６μＳＶ／ｈになるように設定されている。
【００２６】
このように構成した放射性成形体１Ｃは、実施の形態１と同様、直接あるいは間接的に人体の所定箇所に当てておくと、天然ラジウム温泉を利用したのと同様の効果が得られる。
【００２７】
しかも、本形態の放射性成形体１Ｃでは、放射性鉱物を分散させたシート１５を不織布１６と貼り合せてあるため、強度が高く、繰り返し使用することができる。しかも、不織布１６には多数の通気穴１７が形成されているため、長時間使用しても蒸れないという利点がある。
【００２８】
（その他の実施の形態）
上記実施の本形態４では、不織布１６の方のみに通気穴１７を形成したが、放射性鉱物を分散させたシート１５の方、あるいは不織布１６およびシート１５の双方に通気部分を形成してもよい。
【００２９】
上記実施の本形態１、２、４に係る放射性成形体１Ａ、１Ｂ、１Ｃについては、下着に保持させると便利であり、このような下着を製作するにあたっては、放射性成形体１Ａ、１Ｂ、１Ｃを下着に接着固定してもよいし、放射性成形体１Ａ、１Ｂ、１Ｃを下着内に縫い込んでもよい。
【図面の簡単な説明】
【００３０】
【図１】本発明の実施の形態１に係る放射性成形体の説明図である。
【図２】本発明の実施の形態２に係る放射性成形体の説明図である。
【図３】本発明の実施の形態３に係る放射性成形体の説明図である。
【図４】本発明の実施の形態４に係る放射性成形体の説明図である。
【符号の説明】
【００３１】
１Ａ〜１Ｃ  放射性成形体
１１  バンド
１５  シート
１６  不織布
１７  通気穴
【図１】
2005287956.tif 000003
【図２】
2005287956.tif 000004
【図３】
2005287956.tif 000005
【図４】
2005287956.tif 000006